【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
画像形成装置本体に着脱可能なプロセスカートリッジにおいて、電子写真感光体と、前記電子写真感光体に形成された静電潜像を現像剤により顕像化する現像手段と、前記現像手段を支持すると共に現像剤を受入れる開口部を有する現像枠体と、現像剤を収納すると共に現像手段に現像剤を開口部より供給する現像剤収納容器と、現像剤収納容器内にあって所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材が一体的に結合されている検知手段と、前記測定側電極の検知領域に付着した現像剤を取り除く現像剤除去手段と、を有することを特徴とするプロセスカートリッジ。
【請求項２】
前記貼付部材と前記蓋部材が結合された結合容器が前記現像剤収納容器に位置決めされることで前記検知手段と前記現像剤収納容器の位置決めを行うことを特徴とする請求項１に記載のプロセスカートリッジ。
【請求項３】
前記貼付部材が板状の部材であって、表裏に測定側電極と基準側電極をそれぞれ貼り付けたことを特徴とする請求項１又は２に記載のプロセスカートリッジ。
【請求項４】
画像形成装置本体に着脱可能な現像剤収納容器において、現像剤を収納すると共に画像形成装置本体の現像手段に現像剤を開口部より供給する現像剤収納容器と、所定の間隔をもって平行に同一面上に形成された入力側と出力側の１対の電極により電極間の静電容量を検知する電極部材で、現像剤に接する測定側電極と現像剤に接しない基準電極を有する検知手段と、前記測定側電極の検知領域に付着した現像剤を取り除く現像剤除去手段と、
を有し、前記測定側電極を貼付ける貼付部材と前記基準電極を覆う蓋部材が一体的に結合されて現像剤収納容器内に設けられていることを特徴とする現像剤容器。
【請求項５】
前記貼付部材と前記蓋部材が結合された結合容器が前記現像剤収納容器に位置決めされることで前記検知手段と前記現像剤収納容器の位置決めを行うことを特徴とする請求項４に記載の現像剤容器。
【請求項６】
前記貼付部材が板状の部材であって、表裏に測定側電極と基準側電極をそれぞれ貼り付けたことを特徴とする請求項４又は５に記載の現像剤容器。
【請求項７】
現像剤を収納すると共に現像手段に現像剤を開口部より供給する現像剤収納容器内の現像剤量を検知する検知部材を支持するものにおいて、所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材が一体的に結合されている検知手段と、前記測定側電極の検知領域に付着した現像剤を取り除く現像剤除去手段と、を有することを特徴とする電極結合容器。
【請求項８】
前記貼付部材と前記蓋部材が結合された結合容器が前記現像剤収納容器に位置決めされることで前記検知手段と前記現像剤収納容器の位置決めを行うことを特徴とする請求項７に記載の電極結合容器。
【請求項９】
前記貼付部材が板状の部材であって、表裏に測定側電極と基準側電極をそれぞれ貼り付けたことを特徴とする請求項７又は８に記載の電極結合容器。
【請求項１０】
プロセスカートリッジを着脱可能で記録媒体に画像を形成する電子写真画像形成装置において、
ａ．電子写真感光体と、前記電子写真感光体に形成された静電潜像を現像剤により顕像化する現像手段と、前記現像手段を支持すると共に現像剤を受入れる開口部を有する現像枠体と、現像剤を収納すると共に現像手段に現像剤を開口部より供給する現像剤収納容器と、現像剤収納容器内にあって所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材とで一体的に構成されている検知手段と、前記測定側電極の検知領域に付着した現像剤を取り除く現像剤除去手段と、を有するプロセスカートリッジを取り外し可能に装着する装着手段と、
ｂ．前記記録媒体を搬送するための搬送手段と、
を有することを特徴とする電子写真画像形成装置。
【請求項１１】
画像形成装置本体に着脱可能な現像カートリッジにおいて、電子写真感光体に形成された静電潜像を現像剤により顕像化する現像手段と、前記現像手段を支持すると共に現像剤を受入れる開口部を有する現像枠体と、現像剤を収納すると共に現像手段に現像剤を開口部より供給する現像剤収納容器と、所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材が一体的に結合されている検知手段と、前記測定側電極の検知領域に付着した現像剤を取り除く現像剤除去手段と、を有することを特徴とする現像カートリッジ。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
本出願に係る第３の発明は、前記貼付部材が板状の部材であって、表裏に測定側電極と基準側電極をそれぞれ貼り付けたことを特徴とする第１又は第２の発明に記載のプロセスカートリッジである。


【手続補正４】
【補正対象書類名】明細書
【補正対象項目名】００１５
【補正方法】変更
【補正の内容】
【００１５】
本出願に係る第４の発明は、画像形成装置本体に着脱可能な現像剤収納容器において、現像剤を収納すると共に画像形成装置本体の現像手段に現像剤を開口部より供給する現像剤収納容器と、所定の間隔をもって平行に同一面上に形成された入力側と出力側の１対の電極により電極間の静電容量を検知する電極部材で、現像剤に接する測定側電極と現像剤に接しない基準電極を有する検知手段と、前記測定側電極の検知領域に付着した現像剤を取り除く現像剤除去手段と、を有し、前記測定側電極を貼付ける貼付部材と前記基準電極を覆う蓋部材が一体的に結合されて現像剤収納容器内に設けられていることを特徴とする現像剤容器である。


【手続補正５】
【補正対象書類名】明細書
【補正対象項目名】００１６
【補正方法】変更
【補正の内容】
【００１６】
本出願に係る第５の発明は、前記貼付部材と前記蓋部材が結合された結合容器が前記現像剤収納容器に位置決めされることで前記検知手段と前記現像剤収納容器の位置決めを行うことを特徴とする第４の発明に記載の現像剤容器である。


【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
本出願に係る第６の発明は、前記貼付部材が板状の部材であって、表裏に測定側電極と基準側電極をそれぞれ貼り付けたことを特徴とする第４又は第５の発明に記載の現像剤容器である。


【手続補正８】
【補正対象書類名】明細書
【補正対象項目名】００１９
【補正方法】変更
【補正の内容】
【００１９】
本出願に係る第７の発明は、現像剤を収納すると共に現像手段に現像剤を開口部より供給する現像剤収納容器内の現像剤量を検知する検知部材を支持するものにおいて、所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材が一体的に結合されている検知手段と、前記測定側電極の検知領域に付着した現像剤を取り除く現像剤除去手段と、を有することを特徴とする電極結合容器である。


【手続補正９】
【補正対象書類名】明細書
【補正対象項目名】００２０
【補正方法】変更
【補正の内容】
【００２０】
本出願に係る第８の発明は、前記貼付部材と前記蓋部材が結合された結合容器が前記現像剤収納容器に位置決めされることで前記検知手段と前記現像剤収納容器の位置決めを行うことを特徴とする第７の発明に記載の電極結合容器である。


【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
本出願に係る第９の発明は、前記貼付部材が板状の部材であって、表裏に測定側電極と基準側電極をそれぞれ貼り付けたことを特徴とする第７又は第８の発明に記載の電極結合容器である。


【手続補正１２】
【補正対象書類名】明細書
【補正対象項目名】００２３
【補正方法】変更
【補正の内容】
【００２３】
本出願に係る第１０の発明は、プロセスカートリッジを着脱可能で記録媒体に画像を形成する電子写真画像形成装置において、
ａ．電子写真感光体と、前記電子写真感光体に形成された静電潜像を現像剤により顕像化する現像手段と、前記現像手段を支持すると共に現像剤を受入れる開口部を有する現像枠体と、現像剤を収納すると共に現像手段に現像剤を開口部より供給する現像剤収納容器と、現像剤収納容器内にあって所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材とで一体的に構成されている検知手段と、前記測定側電極の検知領域に付着した現像剤を取り除く現像剤除去手段と、を有するプロセスカートリッジを取り外し可能に装着する装着手段と、
ｂ．前記記録媒体を搬送するための搬送手段と、
を有することを特徴とする電子写真画像形成装置である。


【手続補正１３】
【補正対象書類名】明細書
【補正対象項目名】００２４
【補正方法】変更
【補正の内容】
【００２４】
本出願に係る第１１の発明は、画像形成装置本体に着脱可能な現像カートリッジにおいて、電子写真感光体に形成された静電潜像を現像剤により顕像化する現像手段と、前記現像手段を支持すると共に現像剤を受入れる開口部を有する現像枠体と、現像剤を収納すると共に現像手段に現像剤を開口部より供給する現像剤収納容器と、所定の間隔をもって平行に同一面上に形成された入力側と出力側の１対の電極により電極間の静電容量を検知する電極部材で、現像剤に接する測定側電極を貼付ける貼付部材と現像剤に接しない基準電極を覆う蓋部材が一体的に結合されている検知手段と、前記測定側電極の検知領域に付着した現像剤を取り除く現像剤除去手段と、を有することを特徴とする現像カートリッジである。